(57)【特許請求の範囲】
【請求項１】
タンクと本体に分割可能な集塵機であり、タンクは上部が開放された底付の筒状で側面に吸引ホース取付口が設けられており、本体には空気吸込用のファンとそのファンを回転させるモータが取り付けられていてタンクの開放された上部を塞ぐ形状であり、タンクの内壁の吸引ホース取付口の周囲にビニール袋固定用ホルダが付加され、そのビニール袋固定用ホルダは、中央がタンク内壁面に密着した状態で固定される一方、その下端と左右両端はタンク内壁面から離れた状態とされ、その左右両端にはそれぞれタンク内壁面に向かって突出する押え部が設けられており、ビニール袋固定用ホルダをタンク内壁面に固定する際に前記押え部をタンク内壁面に当接する状態としてからビニール袋固定用ホルダの中央をタンク内壁面に向かって押えつけてビニール袋固定用ホルダの左右両端をタンク内側に弾性変形させることで前記押え部がタンク内壁面に付勢された状態で当接しており、上縁が開口したビニール袋が、ビニール袋固定用ホルダの下方より当該ビニール袋固定用ホルダとタンク内壁面との間に差し込まれ前記押え部によってタンク内壁面に固定され、かつ、ビニール袋の上縁のうち吸引ホース取付口以外の部分はタンク上縁と本体との間に挟まれることで、タンクに固定可能となっていることを特徴とする集塵機。
【請求項２】
ビニール袋固定用ホルダの上辺にはストッパが設けられ、ビニール袋がビニール袋固定用ホルダに固定されるときは前記ストッパによってそのビニール袋の上縁を位置決めすることを特徴とする請求項１に記載の集塵機。
【発明の詳細な説明】
【０００１】
【発明の属する技術分野】
本発明は集塵機に関し、タンクと本体が分割可能な集塵機に関する。
【０００２】
【従来の技術】
上記の集塵機の一例が実開昭６０−１５１４７１号公報に記載されている。この集塵機はタンクと本体が分割可能である。タンクは上部が開放された底付の筒状で側面に吸引ホース取付口が設けられている。本体には空気吸込用のファンとそのファンを回転させるモータが取り付けられている。また本体は全体として前記タンクの開放された上部を塞ぐ形状であり、タンクの上縁に本体の下縁がセットされることでタンクに蓋をする。
この種の集塵機では、タンク内に塵が溜まる度にタンク内の塵を捨てなければならない。この作業に際して塵が周囲に散乱しないように、塵を安価なビニール袋内にためてビニール袋ごと捨てる工夫がなされている。このためには、あらかじめタンク内にビニール袋をセットしておけるようにする必要がある。
このための一つの工夫にタンクを底付筒状の下部タンクと筒状の上部タンクに分割し、両タンクの周状の境界間にビニール袋の上縁を挟み込むとともに、上部タンクの側面に吸引ホース取付口を設けたものが知られている。この構造は、ビニール袋がセットしやすい反面、塵の収容容量を確保するためには吸引ホース取付口を高い位置に設ける必要があり、吸引ホースを作業者が引っ張ったときに集塵機が転倒しやすいという問題がある。またタンクを２体にわけて製作することから製作コストが高価になるという問題がある。
かかる問題を解決するために、吸引ホース取付口のところに開口を設けた専用のビニール袋を用いる工夫がされている。この技術では、安価に市販されている通常のビニール袋が使えない。
【０００３】
【発明が解決しようとする課題】
本発明は、従来の集塵機の上記問題点を解決するものであり、通常のビニール袋が使用できること、タンクが一体に製作できること、塵の収容容量を確保するために吸引ホース取付口の位置を高く設定する必要がないことの３要件を同時に満たすことができる集塵機を開発するものである。
【０００４】
【課題を解決するための手段】
本発明の集塵機は、タンクと本体に分割可能な集塵機であり、タンクは上部が開放された底付の筒状で側面に吸引ホース取付口が設けられており、本体には空気吸込用のファンとそのファンを回転させるモータが取り付けられていてタンクの開放された上部を塞ぐ形状であり、タンクの内壁の吸引ホース取付口の周囲にビニール袋固定用ホルダが付加され、そのビニール袋固定用ホルダは、中央がタンク内壁面に密着した状態で固定される一方、その下端と左右両端はタンク内壁面から離れた状態とされ、その左右両端にはそれぞれタンク内壁面に向かって突出する押え部が設けられており、ビニール袋固定用ホルダをタンク内壁面に固定する際に前記押え部をタンク内壁面に当接する状態としてからビニール袋固定用ホルダの中央をタンク内壁面に向かって押えつけてビニール袋固定用ホルダの左右両端をタンク内側に弾性変形させることで前記押え部がタンク内壁面に付勢された状態で当接しており、上縁が開口したビニール袋が、ビニール袋固定用ホルダの下方より当該ビニール袋固定用ホルダとタンク内壁面との間に差し込まれ前記押え部によってタンク内壁面に固定され、かつ、ビニール袋の上縁のうち吸引ホース取付口以外の部分はタンク上縁と本体との間に挟まれることで、タンクに固定可能となっていることを特徴とする。
【０００５】
この集塵機によると、上縁が開口したビニール袋をタンクにセットする際は、吸引ホース取付口ではビニール袋固定用ホルダの下方よりビニール袋の上縁を差し込み、ビニール袋固定用ホルダとタンク内壁面との間で固定し、吸引ホース取付口以外の部分では本体とタンクとの間にビニール袋の上縁を挟み込むことにより、上縁が開口したビニール袋をタンクにセットすることができる。
このため、本発明の集塵機では、吸引ホース取付口のところに開口を設けた専用のビニール袋を用いることなく、安価に市販されている通常のビニール袋を使うことができる。また、ビニール袋をタンクにセットする際は、ビニール袋固定用ホルダの下端と左右両端がタンク内壁面から離れた状態となっているため、ビニール袋固定用ホルダとタンク内壁面との間にビニール袋を容易に差し込み、押え部によってセットすることができる。
また、ビニール袋固定用ホルダにビニール袋を固定させて本体とタンクとの間にビニール袋の上縁を挟み込むことができるので、下部タンクと上部タンクに分割して、両タンクの周状の境界間にビニール袋の上縁を挟み込む必要がない。よって、タンクを一体で製作することができ、集塵機製作コストが高価にならない。
さらに、タンクが一体で製作できるので、従来の集塵機のように塵の収容容量を確保するため、吸引ホース取付口を高い位置に設ける必要がない。したがって、吸引ホース取付口の位置が高いために作業中に集塵機が転倒しやすくなるという問題が解決される。
なお、ビニール袋固定用ホルダの上辺にはストッパが設けられ、ビニール袋がビニール袋固定用ホルダに固定されるときは前記ストッパによってそのビニール袋の上縁を位置決めすることが好ましい。ストッパによってビニール袋が所定の位置に位置決めされるため、ビニール袋をタンクにより容易にセットすることができる。
【０００６】
【発明の実施の形態】
以下に本発明の実施の形態を図面を参照して説明する。図１は請求項１に記載された発明を具体化した集塵機の断面図を示している。図２は図１の別の側面の外観及び半断面を示している。図１、２に示すように、本発明の集塵機はタンク５０と本体２とフィルタ３０を主な構成部品としている。
【０００７】
まず、タンク５０について図１、図２を用いて説明する。タンク５０は、図１に示すように、上部が開放された底付の筒状のタンク本体５８を有し、そのタンク本体５８に設けられた吸引ホース取付部５２と、ノズルフック５６と、キャスタ５４と、フック６０（図２参照）と、ビニール袋固定用ホルダー７０を備える。
【０００８】
タンク本体５８の側面には、吸引ホース取付部５２が設けられている。吸引ホース取付部５２は、タンク本体５８の外側面に取付けられるホース取付部５３と、ホース取付部５３にその一端が接続され、その他端がタンク本体５８内部に伸びるインナーノズル７２とから構成される。ホース取付部５３には図示されていない吸引ホースが取り付けられ、この吸引ホースに吸引された空気は、インナーノズル７２を通ってタンク本体５８内部に吐出される。インナーノズル７２の先端開口部は、インナーノズル７２から流れ出る空気流が、下方に向かって（図１参照）、なおかつ、斜めに向かって（図３参照）流れ出るように形成されている。
また、タンク本体５８の外側面には、ノズルフック５６が取付けられている。ノズルフック５６が取付けられる位置は、集塵作業中又はタンク本体５８と本体２との着脱時等に邪魔にならない位置となっている。このノズルフック５６には、狭い場所等の集塵作業をより効率的に行なう時に使用することができるノズル（吸引ホースの先端に着脱可能）が取り付けられる。
さらに、タンク本体５８の外側面には、図２に示すようにフック６０が取付けられている。このフック６０は、その端部６０ａが後述する本体２のタンク蓋部５と係合し、本体２を下側（タンク本体５８側）に押さえつけることによって、本体２をタンク本体５８に定着させる役目をする。
タンク本体５８の底部には、キャスタ５４が着脱可能に取り付けられている。このキャスタ５４により、集塵作業中又は作業前後に容易に集塵機を移動させることができる。
【０００９】
次に、タンク本体５８の内壁に取付けられるビニール袋固定用ホルダ７０について、図１、図３、図４及び図５を用いて説明する。ここで、図３はビニール袋固定用ホルダ７０を図１の図面左方から見た一部破断側面図を示しており、ハッチングで示されたビニール袋７が取り付けられた状態を示す。図４はビニール袋固定用ホルダ７０とインナーノズル７２とがタンク本体５８の内壁に取り付けられた状態を示す。図５は図３のIV−IV断面を示す。
【００１０】
ビニール袋固定用ホルダ７０は、弾性のある合成樹脂板から形成され、図３に示すようにそのほぼ中央に貫通孔７３が設けられる中央部７０ｅと、中央部７０ｅの上方に形成される取付片７０ｄと、中央部７０ｅの左側に形成される左部押え片７０ａと、中央部７０ｅの下方に形成される下部片７０ｂと、中央部７０ｅの右側に形成される右部押え片７０ｃとを有する。
中央部７０ｅの中央には、インナーノズル７２が貫通する貫通孔７３が形成されると共に、その貫通孔７３の周辺にはビスを差し込むためのビス穴が形成される。また、取付片７０ｄには、ビスを差し込むためのビス穴（図示省略）が形成される。
右部押え片７０ｃには、図５に示すようにタンク本体５８の内壁面側に突出した押え部７０ｆが形成されている。また、同様に左部押え片７０ａにも同様の押え部７０ｇが形成される（図３参照）。
下部片７０ｂは、図４に示すようにビニール袋固定用ホルダ７０がタンク本体５８の内壁に固定された状態で、タンク本体５８の内壁面から所定の距離Ｂだけ離れた距離となるように、タンク本体５８の内側に屈曲した形状で形成されている（図１参照）。
また、取付片７０ｄと左部押え片７０ａの境界線上の切れ目にはストッパ７１ａが形成され、取付片７０ｄと右部押え片７０ｃの境界線上の切れ目にはストッパ７１ｃが形成される。
【００１１】
このように形成されるビニール袋固定用ホルダ７０は、以下の手順によりタンク本体５８の内壁に固定される。
まず、ビニール袋固定用ホルダ７０の貫通孔７３にインナーノズル７２を貫通させる。次に、ビニール袋固定用ホルダ７０の取付片７０ｄ及び中央部７０ｅをタンク本体５８の内壁面側に押えつける。取付片７０ｄ及び中央部７０ｅをタンク本体５８の内壁面側に押えつけると、まず右部押え片７０ｃの押え部７０ｆ及び左部押え片７０ａの押え部７０ｇが、タンク本体５８の内壁に当接する。押え部７０ｆ及び押え部７０ｇがタンク本体５８の内壁面に当接した後、さらに取付片７０ｄ及び中央部７０ｅをタンク本体５８の内壁面側に押えつけ、取付片７０ｄ及び中央部７０ｅがタンク本体５８の内壁面に密着した状態でビニール袋固定用ホルダ７０がタンク本体５８にビスで固定される。
このため、図４、図５に示すようにビニール袋固定用ホルダ７０がタンク本体５８の内壁に固定された状態では、右部押え片７０ｃはタンク本体５８の内壁面から所定の距離Ｃだけ離れた状態で、また、左部押え片７０ａはタンク本体５８の内壁面から所定の距離Ａだけ離れた状態となる（本実施の形態では、Ａ＝Ｃ）。ここで、ビニール袋固定用ホルダ７０は弾性を有する合成樹脂板で形成されているため、左部押え片７０ａ及び右部押え片７０ｃは、距離Ａ又は距離Ｃの分だけタンク本体５８内壁面側に付勢された状態となる。
【００１２】
次に、タンク本体５８に取付けられるフィルタ３０について、図１を用いて説明する。フィルタ３０は、トッププレート３４と、ボトムプレート３８と、トッププレート３４とボトムプレート３８の間に挟着される濾過部材３６を備える。
トッププレート３４は、図１に示すようにリング状の合成樹脂板により形成される。トッププレート３４の外縁にはセットプレート３２が固定される。このセットプレート３２は、図１に示すようにその外縁に鉤状部３２ａが設けられており、この鉤状部３２ａがタンク本体５８の上縁に係合する。
ボトムプレート３８は、トッププレート３４に比してその直径が小さい略円盤状の合成樹脂板により形成される。このボトムプレート３８の中央には、図１に示すように上方に突出した凸部３８ａが設けられている。
上述したトッププレート３４とボトムプレート３８の間には、濾過部材３６が挟着される。濾過部材３６は、通常良く用いられる濾材（ろ紙又はろ布）を、折り曲げて波形にして使用される。
また、本実施の形態では、ボトムプレート３８の直径を、トッププレート３４の直径より小さくしている。このため、トッププレート３４とボトムプレート３８に固定された濾過部材３６は、図１に示すように上方に向かって広がる略円錐台形状を有することとなる。
上述したように構成されるフィルタ３０は、図１に示すようにセットプレート３２の上外縁に設けた鉤状部３２ａが、タンク本体５８の上縁に係合することにより、タンク本体５８に対して組み付けられる。なお、タンク本体５８とフィルタ３０を組み付けた状態では、セットプレート３２の上外縁がタンク本体５８の上縁に係合するため、フィルタ３０はタンク本体５８内に収容されることとなる。
【００１３】
次に、本体2について図１を用いて説明する。本体２は、図１に示すように、モータケース３と、タンク蓋部５と、ガードリング１２を備える。
モータケース３のほぼ中央にはモータ４が配設されている。そのモータ４の回転軸には、第１ファン１０と第２ファン６とが取り付けられている。第１ファン１０と第２ファン６との間には、モータケース３に固定されたガイドプレート８が配設される。ガイドプレート８はモータケース３に固定されているため、第１ファン１０と第２ファン６がモータ４の回転により回転しても、ガイドプレート８は回転しないようになっている。また、モータケース３には、前記第１ファン１０及び第２ファン６が回転することによりモータケース３内に吸引した空気の通り道である通風路１４が形成されている。
また、モータケース３の底部には、ガードリング１２が取付けられている。ガードリング１２には、モータケース３内部に空気を吸引するための吸引孔１２ａが形成されている。
さらに、モータケース３には、タンク本体５８の開放された上部を塞ぐためのタンク蓋部５が取付けられる。このタンク蓋部５の端縁は、フィルタ３０の上端部（セットプレート３２の鉤状部３２ａ）と係合する係合部５ａが形成されている。
【００１４】
上述したように構成される本体２は、図１に示すように、タンク蓋部５の端縁に設けられた係合部５ａがフィルタ３２の上端部（セットプレート３２の鉤状部３２ａ）と係合した状態でタンク本体５８に支持される。そして、図２に示すように、タンク本体５８に設けたフック６０の端部６０ａが本体２のタンク蓋部５と係合し、タンク蓋部５を下側（タンク本体５８側）に押さえつけることによって、本体２とタンク本体５８が固定される。したがって、フィルタ３０は、本体２とタンク本体５８の間に挟まれて保持される。
なお、本体２とタンク本体５８が固定された状態では、図１に示すように本体２のガードリング１２やモータケース３の一部（第１ファン１０及び第２ファン６等が収納された部分）は、フィルタ３０のトッププレート３４の開口部内に入り込み、ボトムプレート３８及び濾過部材３６に囲まれた空間内に収容される。なお、本体２のタンク蓋部５に形成された係合部５ａとセットプレート３２の鉤状部３２ａの間にはシール１８が配され、本体２とタンク本体５８とが密閉状態に保持される。
【００１５】
以上のように構成される集塵機にビニール袋７を取り付ける際の手順について図３を用いて説明する。
まず、タンク本体５８の底面に沿ってビニール袋７を位置させ、そのビニール袋７の上縁開口部を、タンク本体５８の内壁に固定されているビニール袋固定用ホルダ７０の下方から下部片７０ｂとタンク本体５８の間に差しこむ。そして、ビニール袋７を下部片７０ｂとタンク本体５８の間に差しこんだまま、ビニール袋７の上縁開口部を上方に引き上げると、ビニール袋７は左部押え片７０ａとタンク本体５８の間及び右部押え片７０ｃとタンク本体５８の間に入り込みながら引き上げられる。
この際、前述したように左部押え片７０ａ及び右部押え片７０ｃはタンク本体５８の内壁面側に付勢されているため、左部押え片７０ａの押え部７０ｇ及び右部押え片７０ｃの押え部７０ｆによりビニール袋７がタンク本体５８の内壁面に固定される。
そして、ビニール袋７の上縁開口部が、ビニール袋固定用ホルダ７０のストッパ７１ａ及びストッパ７１ｃに当接する状態（図３の状態）となるまで、ビニール袋７をタンク本体５８の上縁側に引き上げる。引き上げられたビニール袋７の上縁開口部は、タンク本体５８の外側に折り曲げられる。ここで、本実施の形態の集塵機では、ストッパ７１ａ及びストッパ７１ｃを形成する位置を、市販されているビニール袋７の上縁開口部の長さに併せて、タンク本体５８にビニール袋７をセットしたときに、ビニール袋固定用ホルダ７０とタンク本体５８の上縁との間にあるビニール袋７がたるまないような位置とされている。したがって、ビニール袋７をストッパ７１ａ及び７１ｃに当接するまで引き上げると、ストッパ７１ａとタンク本体５８の上縁部５９までの間のビニール袋７がたるまず、また、ストッパ７１ｃとタンク本体５８の上縁部５９までのビニール袋７がたるむことはない。
そして、タンク本体５８の上縁部５９とフィルタ３０（セットプレート３２の鉤状部３２ａ）の間にビニール袋７の上縁開口部を挟んだ状態で、タンク５０と本体２を固定する。これにより、タンク本体５８の内部にビニール袋７がセットされる。
このように本実施の形態におけるビニール袋固定用ホルダ７０は、下部片７０ｂ、左部押え片７０ａ、及び右部押え片７０ｃに隙間が形成されているため、ビニール袋７を容易にタンク本体５８にセットすることができる。
また、ストッパ７１ａ及びストッパ７１ｃにより、ビニール袋７を所定の位置に位置決めすることができるので、ビニール袋７を容易にタンク本体５８にセットすることができる。
【００１６】
次に、上述のようにビニール袋７がセットされた集塵機に集塵する際の動作について説明する。
まず、タンク本体５８のホース取付部５３に吸引ホースを取り付け、モータ４を回転させると、モータ４の回転軸に取付けられた第１ファン１０と第２ファン６が回転し、塵を含んだ空気が吸引ホース内に吸引される。
吸引ホース内に吸引された空気は、タンク本体５８のホース取付部５３を介してインナーノズル７２からタンク本体５８内に吹出される。ここで、タンク５８内に吹出される空気は、インナーノズル７２の先端開口部より斜め下方向に吹出されているため、直接フィルタ３０の濾過部材３６に向かって吹出される場合に比して、濾過部材３６の全周から均一に濾過部材３６の内側に吸引される。この際、濾過部材３０により空気中の塵が取り除かれる。濾過部材３６により取り除かれた塵は、その一部が濾過部材３６の外側の表面に付着・堆積し、他は濾過部材３６から剥がれ、タンク本体５８にセットされたビニール袋７の底に溜められる。
濾過部材３６により塵が取り除かれた空気は、ガードリング１２に設けられた吸引口１２ａからモータケース３内に吸引される。この際、ボトムプレート３８の凸部３８ａにより、濾過部材３６によって塵がろ過された空気は、前記ガードリング１２の吸引口１２ａからモータケース３内に流れ易くなっている。
モータケース３内に吸引された空気は、図１の経路１６で示すように、第１ファン１０、ガイドプレート８、第２ファン６の順番にそれらのフィン間を経て上方へ流れ、通風路１４を通って機外に吐出される。
【００１７】
なお、モータ４を回転させると、タンク本体５８内の気圧は、集塵機外の気圧（大気圧）に対して低くなる。しかしながら、集塵機は本体２とフィルタ３０の上外縁との間にシール１８が配され、本体２とタンク本体５８とが密閉状態に保持されているので、タンク本体５８にセットされたビニール袋７がフィルタ３０に張り付くような状態にはならない。すなわち、本体２とタンク本体５８とが密閉状態に保持されているので、仮にビニール袋７が気密にタンク本体５８にセットされていたとしても、タンク本体５８内にセットされたビニール袋７の内側の気圧と、ビニール袋７の外側（ビニール袋７とタンク本体５８との間）の気圧とが等圧になり、ビニール袋７がフィルタ３０に張り付くような状態にはならない。
また、タンク本体５８にセットされたビニール袋７は、ビニール袋固定用ホルダ７０のストッパ７１ａ、７１ｃとタンク本体５８上縁の間がたるんでいないため、ビニール袋７とタンク本体５８との間に塵が入り込むことを有効に防止することができる。
さらに、本実施の形態の集塵機は、従来のようにタンク本体５８を二つに分割していないため、吸引ホースを取付ける吸引ホース取付部５２の位置を高くする必要が無い。このため、集塵作業中等に集塵機を移動するときに、吸引ホースを作業者が引っ張っても、集塵機が転倒しにくくなる。すなわち、この種の集塵機では、モータ４等の重量物が配設されている本体２が上方にあるため、上方に重心があることが多い。したがって、吸引ホースを作業者が引っ張ったときに、吸引ホース取付け口が高い位置にあると、集塵機のバランスが崩れ転倒する場合があるが、本実施の形態の集塵機では吸引ホース取付部５２を低くすることができるのでこのような問題が発生しない。
【００１８】
次に、集塵機に溜まった塵を捨てる際の手順について説明する。
まず、タンク本体５８に取付けられたフック６０を操作し、タンク本体５８と本体２との間の固定状態を解除し、本体２をタンク本体５８から取り外す。タンク本体５８から取り外された本体２は、底部に設けられたガードリング１２側から床面に置かれる。
次に、タンク本体５８にフィルタ３０を収容した状態で、作業者はトッププレート３４の開口部からボトムプレート３８及び濾過部材３６に囲まれた空間内に手を差し込み、濾過部材３６に振動を与えて濾過部材３６に堆積した塵をタンク本体５８内のビニール袋７に落とす。
この際、濾過部材３６は、上方が広がるようにボトムプレート３８及びトッププレート３４に固定されているため、作業者はトッププレート３４の開口部からボトムプレート３８及び濾過部材３６に囲まれた空間内に手が差し込み易く、塵落とし作業を容易に行うことができる。
濾過部材３６に堆積した塵が落とされた後、フィルタ３０をタンク本体５８から取り外す。そしてビニール袋固定用ホルダ７０からビニール袋７を取り外して、タンク本体５８外に塵の溜まったビニール袋７を取り出し、ビニール袋７を捨てれば良い。
したがって、タンク本体５８内に溜まった塵を捨てる際に、空気中に塵等がまうことが無く、清潔に作業を行うことができる。また、タンク本体５８から取り外されるフィルタ３０の濾過部材３６表面に堆積していた塵は既にタンク本体５８内のビニール袋７内に落とされているので、フィルタ３０をタンク本体５８から取り外してもフィルタ３０の濾過部材３６から塵が落ちることがなく、集塵機の周囲が汚れることはない。
【００１９】
以上、詳述したように本実施の形態の集塵機では、ビニール袋７をタンクにセットする際は、吸引ホース取付部５２近辺はビニール袋固定用ホルダ７０にビニール袋７を固定し、それ以外の部分は本体２（フィルタ３０）とタンク５０との間にビニール袋７の上縁を挟み込むことにより、ビニール袋７をタンク５０にセットする。このため、本発明の集塵機では、吸引ホース取付口のところに開口を設けた専用のビニール袋７を用いることなく、安価に市販されている通常のビニール袋７を使うことができる。
また、本実施の形態の集塵機では、ビニール袋固定用ホルダ７０にビニール袋７を固定させて本体２とタンク５０との間にビニール袋７の上縁を挟み込むことができるので、従来の集塵機のようにタンク本体を下部タンクと上部タンクに分割して、両タンクの周状の境界間にビニール袋７の上縁を挟み込む必要がない。よって、タンク５０を一体で製作することができ、集塵機製作コストが高価にならない。
さらに、本実施の形態の集塵機では、タンク５０が一体で製作できるので、タンク５０を上部タンクと下部タンクとに分割した場合に比して、吸引ホース取付口を高い位置に設ける必要がない。したがって、吸引ホース取付口の位置が高いために作業中に集塵機が転倒しやすくなるという問題が解決される。
なお、本実施の形態におけるビニール袋固定用ホルダ７０は、下部片７０ｂとタンク本体５８、左部押え片７０ａとタンク本体５８、及び右部押え片７０ｃとタンク本体５８の夫々の間に隙間が形成されているため、ビニール袋７を容易にビニール袋固定用ホルダ７０とタンク本体５８の間にセットすることができる。また、タンク本体５８にセットされたビニール袋７は、ビニール袋固定用ホルダ７０のストッパ７１ａ、７１ｃにより、ストッパ７１ａ、７１ｃとタンク本体５８上縁の間のビニール袋７がたるんでいない状態でビニール袋７がセットされるため、ビニール袋７とタンク本体５８との間に塵が入り込むことを有効に防止することができる。
【００２０】
【発明の効果】
本発明は、上述のとおり構成されているので、次に記載する効果を奏する。
【００２１】
本発明の集塵機によると、第１にタンクの内壁の吸引ホース取付口の周囲にビニール袋固定用ホルダが付加されていることから、そのビニール袋固定用ホルダに安価に市販されている通常のビニール袋を固定させることができる。よって専用のビニール袋を用いなくても良い。また、ビニール袋固定用ホルダの下端と左右両端がタンク内壁面から離れた状態となっているため、ビニール袋固定用ホルダとタンク内壁面との間にビニール袋を容易に差し込むことができる。
【００２２】
また、第２にビニール袋固定用ホルダにビニール袋を固定させて本体とタンクとの間にビニール袋の上縁を挟み込むことができるので、タンクを下部タンクと上部タンクに分割し、両タンクの周状の境界間にビニール袋の上縁を挟み込む必要がない。よって、タンクが一体で製作できるので、集塵機製作コストが高価にならずにすむ。
【００２３】
そして、第３にタンクが一体で製作できるので、タンクを上部タンクと下部タンクに分割した場合と比して、吸引ホース取付口の位置を高く設定する必要がない。同時に吸引ホース取付口の位置を高く設定する必要がないので、吸引ホース取付口の位置が高いために作業中に集塵機が転倒しやすくなるという問題を解決することができる。
【図面の簡単な説明】
【図１】本発明を具体化した集塵機の一例を縦断面で示す。
【図２】図１とは別の側面から見た集塵機を一部の断面を破断して示す。
【図３】ビニール袋を取りつけたタンクの一部破断側面図を示す。
【図４】ビニール袋固定用ホルダをタンク内壁の吸引ホース取付口の周囲に固定させた状態の模式図を示す。
【図５】図２中IVから見たビニール袋固定用ホルダの一部断面図を示す。
【符号の説明】
２  ・・本体
３０・・フィルタ
５０・・タンク
５２・・吸引ホース取付部
７０・・ビニール袋固定ホルダ
【図１】
0003638825.tif 000002
【図２】
0003638825.tif 000003
【図３】
0003638825.tif 000004
【図４】
0003638825.tif 000005
【図５】
0003638825.tif 000006